(57)【特許請求の範囲】
【請求項１】
端末に接続される発着局と、各発着局間のルート上に設けられた中継局とを介して、前記端末間の通信信号を送受信するＡＴＭ通信網であって、
前記発着局が、複数の前記ルートのうち一つを前記通信信号の通常の送受信に用いる現用ＡＴＭコネクションとし、他の一又は二以上を前記現用ＡＴＭコネクションにおける障害発生時に迂回用のＡＴＭコネクションとして用いることが可能な迂回候補ＡＴＭコネクションとして設定し、
前記中継局が、複数の前記発着局において一つのルートに前記現用ＡＴＭコネクションと前記迂回候補ＡＴＭコネクションとが設定されたときに、前記現用ＡＴＭコネクションの帯域を確保するように前記迂回候補ＡＴＭコネクションの帯域を調整し、
前記迂回候補ＡＴＭコネクションの帯域の削減により前記現用ＡＴＭコネクションの帯域への圧迫が解消されないとき、前記発着局は、前記帯域が削減された迂回候補ＡＴＭコネクションを切断し、他のルートを迂回候補ＡＴＭコネクションとして設定する
ことを特徴とするＡＴＭ通信網。
【請求項２】
前記発着局に、
前記複数のルートのうち一つを前記現用ＡＴＭコネクションとして設定する現用ＡＴＭコネクション設定部と、
前記複数のルートのうち前記迂回候補ＡＴＭコネクションとして設定可能なものを複数選択し、これら選択した複数のルートをそれぞれ指定する複数の論理番号を決定するルーティング管理部と、
このルーティング管理部から前記複数の論理番号を入力し、これら入力した複数の論理番号により指定された前記複数のルートのうち一又は二以上を前記迂回候補ＡＴＭコネクションとして設定する迂回ＡＴＭコネクション設定部と、
前記現用ＡＴＭコネクションにおいて発生した障害を検出する障害検出部と、
前記迂回ＡＴＭコネクション設定部で設定された一又は二以上の前記迂回候補ＡＴＭコネクションに関する前記論理番号を入力して保存し、前記障害を検出したことを示す障害検出信号が前記障害検出部から送られてきたときに、保存した前記論理番号に関する一又は二以上の前記迂回候補ＡＴＭコネクションのうち一つを、前記現用ＡＴＭコネクションの代用となる迂回用ＡＴＭコネクションとして決定する迂回ＡＴＭコネクション管理部とを設け、
前記迂回ＡＴＭコネクション設定部が、前記迂回ＡＴＭコネクション管理部で決定された前記迂回用ＡＴＭコネクションに関する前記論理番号を入力し、この入力した論理番号に関する前記迂回用ＡＴＭコネクションを設定する
ことを特徴とする請求項１記載のＡＴＭ通信網。
【請求項３】
前記中継局に、
一つの前記ルートに設定された前記現用ＡＴＭコネクションと前記迂回候補ＡＴＭコネクションとの帯域を算出する帯域管理部と、
この帯域管理部からの前記帯域により前記迂回候補ＡＴＭコネクションの帯域を削減する迂回帯域管理部とを設けた
ことを特徴とする請求項１又は２記載のＡＴＭ通信網。
【請求項４】
前記迂回ＡＴＭコネクション管理部が、前記障害検出信号を入力したときに、保存した前記論理番号に関する前記一又は二以上の迂回候補ＡＴＭコネクションのうち、前記迂回帯域管理部で削減されたが帯域の確保が可能なものを、前記迂回用ＡＴＭコネクションとして決定する
ことを特徴とする請求項２又は３記載のＡＴＭ通信網。
【請求項５】
前記迂回ＡＴＭコネクション管理部が、前記障害検出信号を入力したときに、保存した前記論理番号に関する前記二以上の迂回候補ＡＴＭコネクションでありかつ前記迂回帯域管理部で帯域が削減されたものを含む中から、前記通信信号を分散して送受信するように複数の前記迂回用ＡＴＭコネクションを決定する
ことを特徴とする請求項２〜４のいずれかに記載のＡＴＭ通信網。
【請求項６】
端末に接続される発着局と、各発着局間のルート上に設けられた中継局とを介して、前記端末間の通信信号を送受信するＡＴＭ通信網において、前記ＡＴＭコネクションに障害が発生したときに通信を救済する方法であって、
前記発着局が、
複数の前記ルートのうち、一つを前記現用ＡＴＭコネクションとして設定後、他の一又は二以上を前記迂回候補ＡＴＭコネクションとして設定するとともに、前記迂回候補ＡＴＭコネクションの論理番号及び／又は設定帯域を保存し、
前記中継局が、
複数の前記発着局により一つの前記ルートに前記現用ＡＴＭコネクションと前記迂回候補ＡＴＭコネクションとが設定され、かつこれら設定された現用ＡＴＭコネクションと迂回候補ＡＴＭコネクションとの帯域が重複するときに、前記現用ＡＴＭコネクションの帯域を確保するように前記迂回候補ＡＴＭコネクションの帯域を調整し、
前記迂回候補ＡＴＭコネクションの帯域の削減により前記現用ＡＴＭコネクションの帯域への圧迫が解消されないとき、前記発着局は、前記帯域が削減された迂回候補ＡＴＭコネクションを切断し、他のルートを迂回候補ＡＴＭコネクションとして設定し、
前記発着局が、
前記現用ＡＴＭコネクションにおける障害を検出したときに、保存した前記論理番号に関する一又は二以上の前記迂回候補ＡＴＭコネクションのうち一又は二以上を、前記現用ＡＴＭコネクションの代用となる迂回用ＡＴＭコネクションとして設定する
ことを特徴とするＡＴＭ通信網における障害発生時の通信救済方法。
【発明の詳細な説明】
【０００１】
【発明の属する技術分野】
本発明は、ＡＴＭ通信網及びこのＡＴＭ通信網における障害発生時の通信救済方法に関し、特に、現用ＡＴＭコネクションに障害が発生したときの発着局の間のコネクションを救済するＡＴＭ通信網及びこのＡＴＭ通信網における障害発生時の通信救済方法に関する。
【０００２】
【従来の技術】
ＡＴＭ（Ａｓｙｎｃｈｒｏｎｏｕｓ  Ｔｒａｎｓｆｅｒ  Ｍｏｄｅ：非同期転送モード）交換方式は、広帯域のＩＳＤＮを実現する技術として、各機関において研究が進められている。
このＡＴＭ交換方式の特徴としては、ルーティング情報をヘッダに格納しているために各ＡＴＭ交換機が自立的にセルを中継・交換できることや、交換処理をチップ化（ハードウェア処理）できるために交換処理速度を高められることなどが挙げられる。
【０００３】
ところが、このＡＴＭ交換方式では、ＳＴＭ（Ｓｙｎｃｈｒｏｎｏｕｓ  Ｔｒａｎｓｆｅｒ  Ｍｏｄｅ）交換方式と異なり、セルレベルでの輻輳が発生するため、伝送路における障害発生時に、ＡＴＭ交換の特徴を活かしつつ、その輻輳に対して高速に迂回ルートを設定する方式が要望されていた。
【０００４】
そこで、このＡＴＭ網において迂回ルートを設定する従来技術の一例が、特開平６−３７７８３号公報に、ＡＴＭネットワークにおける迂回ルート設定方式として開示されている。
この公報に開示のＡＴＭネットワークにおける迂回ルート設定方式によれば、発信側と着信側のＡＴＭ交換ノードとの間に複数のルート設定を可能とするＡＴＭネットワークにおいて、呼設定時に、帯域（空きタイムスロット）を確保せず論理番号のみを捕捉し、上りパスについては発信側ノードを除くノード間のパス接続を行い、下りパスについては着信側ノードを除くノード間のパス接続を行うことで、本ルート以外に予備ルートを同時に設定する構成としてある。
【０００５】
このような構成によれば、ＡＴＭネットワークにおける迂回ルート設定方式に関し、障害時又は輻輳時に高速にパスの張り替えを行えるとともに、予備ルートの帯域を確保しないため、通常のパス（呼）の帯域への圧迫を抑制できる。
【０００６】
【発明が解決しようとする課題】
しかしながら、特開平６−３７７８３号公報のＡＴＭネットワークにおける迂回ルート設定方式は、迂回パスの論理番号を呼設定時に捕捉するものの、現用パスの帯域の把握及び迂回パスと現用パスとの帯域の調整を障害発生時に行うこととしているため、迅速な迂回経路への切り替えが行えないばかりか、低優先とされる迂回パスの帯域の確保が困難な場合があった。
【０００７】
また、迂回パスを含む迂回用のＡＴＭコネクションの帯域が確保されないために、データ伝送の通信品質の維持、たとえばデータベース伝送エラーの発生の防止に支障をきたすことがあった。
したがって、迂回用ＡＴＭコネクションの帯域の確保を必ず保証するとともに、セルレベルでの輻輳の発生時に、現用パスを含む現用のＡＴＭコネクションから迂回用ＡＴＭコネクションへの切り替えを高速に行う技術が要求されていた。
【０００８】
本発明は、上記の問題を解決すべくなされたものであり、障害発生時の通信を迅速に救済するとともに、現用ＡＴＭコネクションの帯域への圧迫を抑制し、かつ迂回用ＡＴＭコネクションの帯域の確実な確保を可能とするＡＴＭ通信網及びこのＡＴＭ通信網における障害発生時の通信救済方法の提供を目的とする。
【０００９】
なお、迂回ルートを設定する従来技術の他の一例が、特許第２９３３０２１号公報に、通信網障害回復方式として開示されている。
この特許第２９３３０２１号公報に開示の通信網障害回復方式によれば、ネットワーク管理システムが、伝送装置の制御、通信網における残りの伝送帯域の管理、障害発生時における障害回線を通過するパスの伝送帯域の開放、各パスに設定された複数の障害回復クラスにもとづく障害発生時の迂回経路の決定・判断及び予備パス経路への切り替えを行うこととしている。
【００１０】
しかし、この通信網障害回復方式は、ネットワーク管理システムが、障害発生時に迂回経路の確保を行うため、この従来技術においても上記目的を達成することはできなかった。
【００１１】
【課題を解決するための手段】
上記目的を達成するため、本発明の請求項１記載のＡＴＭ通信網は、端末に接続される発着局と、各発着局間のルート上に設けられた中継局とを介して、端末間の通信信号を送受信するＡＴＭ通信網であって、発着局が、複数のルートのうち一つを通信信号の通常の送受信に用いる現用ＡＴＭコネクションとし、他の一又は二以上を現用ＡＴＭコネクションにおける障害発生時に迂回用のＡＴＭコネクションとして用いることが可能な迂回候補ＡＴＭコネクションとして設定し、中継局が、複数の発着局において一つのルートに現用ＡＴＭコネクションと迂回候補ＡＴＭコネクションとが設定されたときに、現用ＡＴＭコネクションの帯域を確保するように迂回候補ＡＴＭコネクションの帯域を調整し、迂回候補ＡＴＭコネクションの帯域の削減により現用ＡＴＭコネクションの帯域への圧迫が解消されないとき、発着局は、帯域が削減された迂回候補ＡＴＭコネクションを切断し、他のルートを迂回候補ＡＴＭコネクションとして設定する構成としてある。
【００１２】
ＡＴＭ通信網をこのような構成とすると、現用ＡＴＭコネクションに障害が発生したときに、迅速に迂回ＡＴＭコネクションへの切り替えを行うことができる。
また、発着局において、ルートの使用帯域を管理することにより、同ルートに設定された現用ＡＴＭコネクションへの帯域の圧迫を抑制できる。
【００１３】
また、請求項２記載のＡＴＭ通信網は、発着局に、複数のルートのうち一つを現用ＡＴＭコネクションとして設定する現用ＡＴＭコネクション設定部と、複数のルートのうち迂回候補ＡＴＭコネクションとして設定可能なものを複数選択し、これら選択した複数のルートをそれぞれ指定する複数の論理番号を決定するルーティング管理部と、このルーティング管理部から複数の論理番号を入力し、これら入力した複数の論理番号により指定された複数のルートのうち一又は二以上を迂回候補ＡＴＭコネクションとして設定する迂回ＡＴＭコネクション設定部と、現用ＡＴＭコネクションにおいて発生した障害を検出する障害検出部と、迂回ＡＴＭコネクション設定部で設定された一又は二以上の迂回候補ＡＴＭコネクションに関する論理番号を入力して保存し、障害を検出したことを示す障害検出信号が障害検出部から送られてきたときに、保存した論理番号に関する一又は二以上の迂回候補ＡＴＭコネクションのうち一つを、現用ＡＴＭコネクションの代用となる迂回用ＡＴＭコネクションとして決定する迂回ＡＴＭコネクション管理部とを設け、迂回ＡＴＭコネクション設定部が、迂回ＡＴＭコネクション管理部で決定された迂回用ＡＴＭコネクションに関する論理番号を入力し、この入力した論理番号に関する迂回用ＡＴＭコネクションを設定する構成としてある。
【００１４】
ＡＴＭ通信網の発着局をこのような構成とすれば、現用ＡＴＭコネクションの設定後、障害発生前に、予め複数の迂回候補ＡＴＭコネクションが設定され、かつこの設定された迂回候補ＡＴＭコネクションの論理番号が管理されるため、現用ＡＴＭコネクションに障害が発生したときに、管理されている論理番号が読み込まれ即座に迂回用ＡＴＭコネクションが設定されることで、通信経路を迅速に確保できる。
さらに、各方路向けにＡＴＭコネクションの設定を行うため、迂回候補ＡＴＭコネクション設定失敗時に障害や輻輳検出が早く行える。
【００１５】
また、請求項３記載のＡＴＭ通信網は、中継局に、一つのルートに設定された現用ＡＴＭコネクションと迂回候補ＡＴＭコネクションとの帯域を算出する帯域管理部と、この帯域管理部からの帯域により迂回候補ＡＴＭコネクションの帯域を削減する迂回帯域管理部とを設けた構成としてある。
【００１６】
ＡＴＭ通信網の中継局をこのような構成とすると、予め設定した迂回候補ＡＴＭコネクションの設定帯域を常時監視して帯域を調整できるため、障害発生時に、迅速に、現用ＡＴＭコネクションに代わる最適なＡＴＭコネクションを選択して切り替えることができる。
【００１７】
また、請求項４記載のＡＴＭ通信網は、迂回ＡＴＭコネクション管理部が、障害検出信号を入力したときに、保存した論理番号に関する一又は二以上の迂回候補ＡＴＭコネクションのうち、迂回帯域管理部で削減されたが帯域の確保が可能なものを、迂回用ＡＴＭコネクションとして決定する構成としてある。
【００１８】
ＡＴＭ通信網の迂回ＡＴＭコネクション管理部をこのような構成とすると、現用ＡＴＭコネクションに障害が発生したときに、即座に帯域が確保された迂回用ＡＴＭコネクションへの切り替えが可能となる。したがって、端末間の通信中に障害が発生しても、損失を最小限に抑えて、通信を救済することができる。
【００１９】
また、請求項５記載のＡＴＭ通信網は、迂回ＡＴＭコネクション管理部が、障害検出信号を入力したときに、保存した論理番号に関する二以上の迂回候補ＡＴＭコネクションでありかつ迂回帯域管理部で帯域が削減されたものを含む中から、通信信号を分散して送受信するように複数の迂回用ＡＴＭコネクションを決定する構成としてある。
【００２０】
ＡＴＭ通信網の迂回ＡＴＭコネクション管理部をこのような構成とすれば、あるルートに設定された現用ＡＴＭコネクションの設定帯域が広範囲なために、同一のルートに設定された迂回候補ＡＴＭコネクションの設定帯域が圧迫される場合に、ＡＴＭコネクションの切り換え時に、複数の迂回候補ＡＴＭコネクションを決定することで、圧迫された設定帯域を補償できる。
【００２１】
また、請求項６記載のＡＴＭ通信網における障害発生時の通信救済方法は、端末に接続される発着局と、各発着局間のルート上に設けられた中継局とを介して、端末間の通信信号を送受信するＡＴＭ通信網において、ＡＴＭコネクションに障害が発生したときに通信を救済する方法であって、発着局が、複数のルートのうち、一つを現用ＡＴＭコネクションとして設定後、他の一又は二以上を迂回候補ＡＴＭコネクションとして設定するとともに、迂回候補ＡＴＭコネクションの論理番号及び／又は設定帯域を保存し、中継局が、複数の発着局により一つのルートに現用ＡＴＭコネクションと迂回候補ＡＴＭコネクションとが設定され、かつこれら設定された現用ＡＴＭコネクションと迂回候補ＡＴＭコネクションとの帯域が重複するときに、現用ＡＴＭコネクションの帯域を確保するように迂回候補ＡＴＭコネクションの帯域を調整し、迂回候補ＡＴＭコネクションの帯域の削減により現用ＡＴＭコネクションの帯域への圧迫が解消されないとき、発着局は、帯域が削減された迂回候補ＡＴＭコネクションを切断し、他のルートを迂回候補ＡＴＭコネクションとして設定し、発着局が、現用ＡＴＭコネクションにおける障害を検出したときに、保存した論理番号に関する一又は二以上の迂回候補ＡＴＭコネクションのうち一又は二以上を、現用ＡＴＭコネクションの代用となる迂回用ＡＴＭコネクションとして設定する方法としてある。
【００２２】
ＡＴＭ通信網における障害発生時の通信救済方法をこのような方法とすれば、現用ＡＴＭコネクションに障害が発生したときに、予め設定された複数の迂回候補ＡＴＭコネクションのうちの一つ又は二以上を使用して通信を救済できる。すなわち、予め迂回候補ＡＴＭコネクションの帯域が設定されているため、迂回ＡＴＭコネクションの設定時間や設定帯域の調整時間を短縮できる。
【００２３】
【発明の実施の形態】
以下、本発明の実施の形態について、図面を参照して説明する。
［実施形態］
まず、本発明のＡＴＭ通信網及びこのＡＴＭ通信網における障害発生時の救済方法の実施形態について、図１，図２及び図３を参照して説明する。
図１は本実施形態のＡＴＭ通信網の構成、図２は発着局の内部構成、図３は中継局の内部構成をそれぞれ示すブロック図である。
【００２４】
図１に示すように、ＡＴＭ通信網は、端末１０（１０ａ，１０ｂ）、発着局２０（２０ａ−１〜２０ａ−３，２０ｂ−１〜２０ｂ−３）及び中継局３０（３０−１〜３０−３）を有し、発着局２０の間は、複数回線からなる物理的な通信路であるルート４０で接続されている。
【００２５】
なお、ルート４０には、通常の通信信号の送受信に用いられる現用ＡＴＭコネクション４１（４１−１〜４１−３）、及び現用ＡＴＭコネクション４１に障害が発生したときの通信信号の迂回ルートの候補となる迂回候補ＡＴＭコネクション４２（４２−１−１，４２−１−２）が論理的に設定される。
また、複数の迂回候補ＡＴＭコネクション４２のうち一つが、障害が発生した現用ＡＴＭコネクション４１の代わりに使用される迂回用ＡＴＭコネクションとなる。
【００２６】
ここで、端末１０は、発着呼機能を有し、発着局２０へ発呼要求を送信する。発着局２０は、端末１０から発呼要求信号を受信し、かつ他の発着局２０への呼設定を行う。
また、発着局２０は、図２に示すように、現用ＡＴＭコネクション設定部２１、ルーティング管理部２２、迂回ＡＴＭコネクション設定部２３、迂回ＡＴＭコネクション管理部２４及び障害検出部２５を有している。
【００２７】
現用ＡＴＭコネクション設定部２１は、呼設定要求及び呼設定応答にもとづき、複数のルート４０のうち一つを現用ＡＴＭコネクション４１として設定する。
ルーティング管理部２２は、現用ＡＴＭコネクション４１、迂回候補ＡＴＭコネクション４２及び迂回用ＡＴＭコネクションの設定時に用いるバーチャルパス識別子（ＶＰＩ）及びバーチャルチャネル識別子（ＶＣＩ）を決定する。
【００２８】
迂回ＡＴＭコネクション設定部２３は、ＶＰＩ及びＶＣＩにもとづき迂回候補ＡＴＭコネクション４２を設定する。
また、迂回ＡＴＭコネクション設定部２３は、現用ＡＴＭコネクション４１における障害発生時に切り替え先となる迂回用ＡＴＭコネクションを設定する。
【００２９】
迂回ＡＴＭコネクション管理部２４は、迂回ＡＴＭコネクション設定部２３から登録要求信号とともに送信されてきた迂回候補ＡＴＭコネクション４２用のＶＰＩ、ＶＣＩ及び設定帯域を保存・管理する。
また、迂回ＡＴＭコネクション管理部２４は、現用ＡＴＭコネクション４１に障害が発生したときに、保存するＶＰＩ及びＶＣＩの示す迂回候補ＡＴＭコネクション４２の中から迂回用ＡＴＭコネクションを決定し、この決定した迂回用ＡＴＭコネクションを示すＶＰＩ及びＶＣＩを迂回ＡＴＭコネクション設定部２３へ出力する。
【００３０】
障害検出部２５は、現用ＡＴＭコネクション４１に発生した障害を検出し、障害が検出された現用ＡＴＭコネクション４１のＶＰＩ及びＶＣＩを迂回ＡＴＭコネクション管理部２４へ出力する。
中継局３０は、図３に示すように、帯域管理部３１と迂回帯域管理部３２とを有している。
【００３１】
帯域管理部３１は、現用ＡＴＭコネクション４１及び迂回候補ＡＴＭコネクション４２の帯域を管理する。
また、帯域管理部３１は、同一方路向けに現用ＡＴＭコネクション４１と迂回候補ＡＴＭコネクション４２とが存在した場合に、それぞれの帯域を算出し、現用ＡＴＭコネクション４１の設定を高優先とするように監視するとともに、迂回候補ＡＴＭコネクション４２に対して削減帯域を通知する。
【００３２】
迂回帯域管理部３２は、帯域管理部３１から帯域削減指示信号を入力すると、削減通知を発着局２０へ通知するとともに、迂回候補ＡＴＭコネクション４２の帯域を削減する。
なお、発着局２０は、帯域削減通知を受信したときは、迂回ＡＴＭコネクション管理部２４にＶＰＩ及びＶＣＩを再登録する。また、切断時は、再度、別のルート４０に迂回候補ＡＴＭコネクション４２を設定する。
【００３３】
次に、本実施形態のＡＴＭ通信網における現用ＡＴＭコネクション及び迂回候補ＡＴＭコネクションの設定動作について、図１及び図２を参照して説明する。
発着局２０ａ−１において、端末１０ａから呼設定要求信号が受信されると、続いて、発着局２０ｂ−１から呼設定応答信号が受信される。
【００３４】
これら受信された呼設定要求信号及び呼設定応答信号が、発着局２０ａ−１の現用ＡＴＭコネクション設定部２１へ送られる。現用ＡＴＭコネクション設定部２１において、受信された呼設定要求信号及び呼設定応答信号にもとづき、現用ＡＴＭコネクション４１が設定される。
現用ＡＴＭコネクション４１が設定されたことを示す現用ＡＴＭコネクション設定信号が、現用ＡＴＭコネクション設定部２１から迂回ＡＴＭコネクション設定部２３へ出力される。
【００３５】
現用ＡＴＭコネクション設定信号が入力された迂回ＡＴＭコネクション設定部２３において、現用ＡＴＭコネクション４１が設定されたルート以外のルートであって発着局２０への迂回候補ＡＴＭコネクション４２の設定を可能とするものの存在を問い合わせる問い合わせ信号がルーティング管理部２２へ出力される。
【００３６】
問い合わせ信号が入力されたルーティング管理部２２において、迂回候補ＡＴＭコネクション４２の設定を可能とするルートのＶＰＩ及びＶＣＩが迂回ＡＴＭコネクション設定部２３へ出力される。
迂回ＡＴＭコネクション設定部２３において、入力されたＶＰＩ及びＶＣＩにもとづき、現用ＡＴＭコネクション４１が設定されたルート４０と異なるルート４０（物理回線）を使用して、発着局２０ｂ−１への迂回候補ＡＴＭコネクション４２−１−１，４２−１−２が設定される。
【００３７】
なお、迂回候補ＡＴＭコネクション４２が設定されたルート４０は、他の発着局２０において、現用ＡＴＭコネクション４１として設定されたものであってもよい。
こうして、一つのルート４０に、現用ＡＴＭコネクション４１と迂回候補ＡＴＭコネクション４２とが設定された場合は、それぞれの帯域が重複することがあるが、この重複した帯域の調整方法については、帯域管理動作として後述する。
【００３８】
また、設定された迂回候補ＡＴＭコネクション４２のうちの一つが、現用ＡＴＭコネクション４１に障害が発生した場合に、通信救済のために現用ＡＴＭコネクション４１に代えて使用される迂回用ＡＴＭコネクションとなる。
なお、迂回候補ＡＴＭコネクション４２は、図１において二つ（迂回候補ＡＴＭコネクション４２−１−１，４２−１−２）設定されているが、二つに限るものではなく、一つ又は三つ以上設定されてもよい。
【００３９】
迂回候補ＡＴＭコネクション４２−１−１，４２−１−２の設定後、迂回ＡＴＭコネクション設定部２３から迂回ＡＴＭコネクション管理部２４へ、設定された迂回候補ＡＴＭコネクション４２−１−１，４２−１−２のＶＰＩ，ＶＣＩ及び設定帯域が登録要求信号とともに送られ、登録される。
【００４０】
次に、中継局３０における帯域管理動作を、図３及び図４を参照して説明する。
ここで、図４に示すように、迂回候補ＡＴＭコネクション４２−１−１と現用ＡＴＭコネクション４１−４との双方が設定されたルートにおいて、迂回候補ＡＴＭコネクション４２−１−１の帯域が広いために、現用ＡＴＭコネクション４１−４の帯域が圧迫されているものと想定する。
【００４１】
中継局３０の帯域管理部３１において、現用ＡＴＭコネクション４１及び迂回候補ＡＴＭコネクション４２の帯域が管理される。
この管理により、迂回候補ＡＴＭコネクション４２の帯域の影響で、現用ＡＴＭコネクション４１の帯域の確保が困難であることが確認されると、それぞれの帯域が算出され、迂回候補ＡＴＭコネクション４２−１−１のＶＰＩ、ＶＣＩとともに帯域調整信号として迂回帯域管理部３２へ出力される。
【００４２】
迂回帯域管理部３２において、入力された帯域調整信号の示す帯域の算出結果にもとづき、迂回候補ＡＴＭコネクション４２−１−１の帯域が削減される。
さらに、帯域調整信号が、迂回帯域管理部３２から発着局２０の迂回ＡＴＭコネクション管理部２４へ送信される。
【００４３】
帯域調整信号が受信された迂回ＡＴＭコネクション管理部２４において、迂回候補ＡＴＭコネクション４２の帯域が削減される。
この帯域の削減により現用ＡＴＭコネクション４１−４の帯域が確保される。
【００４４】
なお、迂回候補ＡＴＭコネクション４２の帯域の削減により、現用ＡＴＭコネクション４１の帯域への圧迫が解消されないときは、迂回ＡＴＭコネクション設定部２３で迂回候補ＡＴＭコネクション４２を切断することもできる。
このときは、切断後に、迂回ＡＴＭコネクション設定部２３において、他のルート４０が迂回候補ＡＴＭコネクション４２として設定される。
【００４５】
次に、現用ＡＴＭコネクション４１に障害が発生したときの動作について、図１及び図２を参照して説明する。
発着局２０の障害検出部２５において、現用ＡＴＭコネクション４１を使用しているルート４０に発生した障害が検出されると、迂回ＡＴＭコネクション管理部２４へ、現用ＡＴＭコネクション４１のＶＰＩ及びＶＣＩを含む障害通知信号が送られる。
【００４６】
迂回ＡＴＭコネクション管理部２４において、入力された障害通知信号にもとづき現用ＡＴＭコネクション４１で障害が発生したことが確認され、保存しているＶＰＩ及びＶＣＩの示す迂回候補ＡＴＭコネクション４２のうちの一つが迂回用ＡＴＭコネクションとして決定される。
この決定された迂回用ＡＴＭコネクションを示すＶＰＩ及びＶＣＩが切替指示信号として迂回ＡＴＭコネクション設定部２３へ送られる。
【００４７】
迂回ＡＴＭコネクション設定部２３において、現用ＡＴＭコネクションから、受信された切替指示信号のＶＰＩ及びＶＣＩが示す迂回用ＡＴＭコネクションに設定が切り替えられる。
この切り替え後は、迂回用ＡＴＭコネクションを使用して端末１０ａ及び１０ｂ間の通信信号が送受信される。
【００４８】
次に、迂回用ＡＴＭコネクションを複数設定して障害発生時のコネクションを救済する動作について、図１を参照して説明する。
中継局３０の迂回帯域管理部３２において迂回候補ＡＴＭコネクション４２の帯域が削減された後、迂回帯域管理部３２から発着局２０の迂回用ＡＴＭコネクション管理部２４へ帯域調整信号が送信される。
【００４９】
迂回ＡＴＭコネクション管理部２４において、受信した帯域調整信号により迂回候補ＡＴＭコネクション４２の帯域が削減される。
その後、現用ＡＴＭコネクション４１で障害が発生すると、迂回ＡＴＭコネクション管理部２４において、迂回候補ＡＴＭコネクション４２の中から迂回用ＡＴＭコネクションが選択される。
【００５０】
ここで、迂回ＡＴＭコネクション管理部２４において、選択された迂回候補ＡＴＭコネクション４２が、帯域調整されていたために帯域確保が不十分と判断されたときは、他の迂回候補ＡＴＭコネクション４２も選択することで、通信帯域を分担し、通信信号を分散させて端末間の通信を行わせる。
【００５１】
ＡＴＭ通信網をこのような構成とすれば、帯域が削減された迂回候補ＡＴＭコネクションについても、他の迂回候補ＡＴＭコネクションとともに迂回用ＡＴＭコネクションとして設定され、かつ通信信号の迂回に必要な帯域が分担されることで、迂回用ＡＴＭコネクションとしての利用が可能となる。
【００５２】
【発明の効果】
以上のように、本発明によれば、既存のリソースを利用して迂回候補ＡＴＭコネクションを設定し、この迂回候補ＡＴＭコネクションの設定帯域を現用ＡＴＭコネクションとともに管理することで、現用ＡＴＭコネクションでの障害発生時に迅速に迂回用ＡＴＭコネクションへの切り替えを可能とする。
【００５３】
また、同一方路に現用ＡＴＭコネクションと迂回候補ＡＴＭコネクションとが存在した場合に、現用ＡＴＭコネクションを優先し、迂回候補ＡＴＭコネクション帯域を削減することにより、現用ＡＴＭコネクションに影響を与えず迂回用ＡＴＭコネクションの帯域を確保できる。
さらに、各方路向けにＡＴＭコネクションの設定を行うため、迂回候補ＡＴＭコネクション設定失敗時に障害や輻輳検出が早く行える。
【００５４】
また、帯域が削減されたために帯域確保が不十分な迂回候補ＡＴＭコネクションについても、他の迂回候補ＡＴＭコネクションとともに迂回用ＡＴＭコネクションとして設定されることで、必要な帯域を分担して通信信号の迂回を可能とする。
【図面の簡単な説明】
【図１】本発明の実施形態のＡＴＭ通信網の構成を示すブロック図である。
【図２】本発明の実施形態のＡＴＭ通信網における発着局の内部構成を示すブロック図である。
【図３】本発明の実施形態のＡＴＭ通信網における中継局の内部構成を示すブロック図である。
【図４】本発明の実施形態における他のＡＴＭ通信網の構成を示すブロック図である。
【符号の説明】
１０  端末
２０  発着局
２１  現用ＡＴＭコネクション設定部
２２  ルーティング管理部
２３  迂回ＡＴＭコネクション設定部
２４  迂回ＡＴＭコネクション管理部
２５  障害検出部
３０  中継局
３１  帯域管理部
３２  迂回帯域管理部
４０  ルート
４１  現用ＡＴＭコネクション
４２  迂回候補ＡＴＭコネクション
【図１】
0003583060.tif 000002
【図２】
0003583060.tif 000003
【図３】
0003583060.tif 000004
【図４】
0003583060.tif 000005